(57)【要約】本発明は、光学要素であって、光が要素の面に入射するときに、第１のイメージが第１の視角下において最適に見え、第２のイメージが第２の視角下において最適に見えるように、第１及び第２のイメージが、非周期的、異方性面レリーフ微細構造のパターンによって少なくとも部分的に符号化される、光学要素に関する。本発明による要素は、特に、模造及び改竄に対して文書及び物品を保全するために有用である。
2018512622.tif 000002
【特許請求の範囲】
【請求項１】
非周期的、異方性面レリーフ微細構造を有する領域を含む光学要素（２０、２９、３０、４０、７０、７９、８０、９０、９５）であって、光が要素の面に入射するときに、第１のイメージが第１の視角下において最適に見え、第２のイメージが第２の視角下において最適に見えるように、第１（５１、２７、７１、８３、９６、９１）及び第２（６１、２８、７２、７７、８４、９７、９２）のイメージが、非周期的、異方性面レリーフ微細構造（２２、２６、４２、４３、４５、４６、７３、７４、７５、７６、８５、８６、８８、８９）によって少なくとも部分的に符号化される、光学要素。
【請求項２】
第１及び／又は第２のイメージに関する非周期的、異方性面レリーフ微細構造が、異方性方向が異なる領域を含む、請求項１に記載の光学要素。
【請求項３】
イメージの少なくとも１つが、異なる視角でポジティブコントラスト（５０、６０、９１、９２）及びネガティブコントラスト（５４、６４、９３、９４）で観察され得る、請求項１又は２に記載の光学要素。
【請求項４】
共に非周期的、異方性面レリーフ微細構造を有した、第１のイメージに関する区域及び第２のイメージに関する区域が存在し、その結果、第１及び第２のイメージの前記区域の異方性方向が、２２．５度と６７．５度との間の角度異なる、請求項１〜３のうちのいずれかに記載の光学要素。
【請求項５】
第２のイメージ（２８、７２、７７、９２、９７）が、第１のイメージの一部分又は全体の幾何学的変換として構築され得る、少なくとも１つの部分を含む、請求項１〜４のうちのいずれかに記載の光学要素。
【請求項６】
幾何学的変換が、平行移動（２８、７２、７７）、ミラーリング（９２）、回転（７７）、スケーリング（７２、９７）、若しくは点反転のうちの１つ又はこれらの組み合わせである、請求項５に記載の光学要素。
【請求項７】
２つのイメージが、少なくとも部分的に互いに重なり合う（８３、８４、９１、９２、９６、９７）、請求項１〜６のうちのいずれかに記載の光学要素。
【請求項８】
非周期的、異方性面レリーフ微細構造が存在する領域の第１及び／又は第２のイメージの少なくとも１つの部分が、イメージ単位（８１、８２）に分割される、請求項１〜７のうちのいずれかに記載の光学要素。
【請求項９】
イメージ単位の形状が、正方形、長方形、台形、三角形、六角形（８１、８２）、又は円である、請求項８に記載の光学要素。
【請求項１０】
第１及び第２のイメージの少なくとも１つの部分が、イメージ単位に分割され、第１のイメージの情報内容に割り当てられたイメージ単位の形状が、第２のイメージの情報内容に割り当てられたイメージ単位の形状と異なる、請求項８又は９に記載の光学要素。
【請求項１１】
第１及び第２のイメージの少なくとも１つの部分が、イメージ単位に分割され、両方のイメージのイメージ単位を含む領域では、第１及び第２のイメージの情報内容を符号化するイメージ単位の総面積が互いに異なる、請求項８〜１０のうちのいずれかに記載の光学要素。
【請求項１２】
少なくともイメージの１つのために、非周期的、異方性面レリーフ微細構造が、異方性方向のディザリングによって３つ以上のグレーレベルを符号化する、請求項１〜１１のうちのいずれかに記載の光学要素。
【請求項１３】
非周期的、異方性面レリーフ微細構造のパターンによって少なくとも部分的に符号化され、それぞれ、第３の又は追加的な視角下において最適に見える、第３又はそれ以上のイメージ（９８、９９）を含む、請求項１〜１２のうちのいずれかに記載の光学要素。
【請求項１４】
第２（９７）及び好ましくは第３の（９８）又は追加的なイメージ（９９）が、第１のイメージ（９６）の一部分又は全体のスケーリングによって構築された、少なくとも１つの部分を含み、その結果、その後、要素を回転又は傾斜させることによって、イメージが、単調増加又は減少したサイズで現れる、請求項１〜１３のうちのいずれかに記載の光学要素。
【請求項１５】
セキュリティ用途のための請求項１〜１４のうちのいずれかに記載の光学要素の使用。
【請求項１６】
光が要素の面に入射するときに、第１のイメージが第１の視角下において最適に見え、第２のイメージが第２の視角下において最適に見える特性を有する光学要素を製造する方法であって、
−要素上に非周期的、異方性面レリーフ微細構造のパターンをもたらし、その結果、パターンが、微細構造の異なる異方性方向の領域を含み、第２のイメージの情報内容を符号化するパターンが、第１のイメージの情報内容を符号化するパターンにおいて使用されない異方性方向を有した少なくとも１つの領域を有すること、
を含む方法。
【発明の詳細な説明】
【技術分野】
【０００１】
分野
本発明は、少なくとも２つのイメージが要素を傾斜又は回転させる際に観察され得る、パターン化された面レリーフ微細構造を有した光学要素に関する。本発明による要素は、特に、模造及び改竄に対して文書及び物品を保全するために有用である。
【０００２】
発明の背景
技術の発展のため、偽造者は、今日、コピー機、スキャナ、及びプリンタなどの、先進的ツールにアクセスし、これらのツールにより、高品質を有する多くのセキュリティ特性の外観をコピー又は少なくとも模倣することが可能である。したがって、光学セキュリティ要素の１つの条件は、特性の複製が偽造者にとって困難であることである。このような要素の作製は特別でかつ非常に精巧な装置を必要とするが、光学的効果自体は、素人の眼でも容易かつ迅速に識別可能でなければならない。
【０００３】
WO2007/131375は、要素を傾斜又は回転させる際に明確なポジティブ−ネガティブ切替で、例えばイメージ、写真、グラフィックス、又はレタリングの形の、高解像度光学情報を表示し、これにより、イメージの明らかなコントラスト反転をもたらすために異方性散乱を使用した光学要素を開示する。光学情報は、モノクロか又はカラーとして現れ得る。入射光との相互作用を引き起こす非周期的、異方性面レリーフ構造のため、イメージは、一般的なホログラム又はキネグラムの典型的な虹色なしで現れる。したがって、光学特性及び光学特性を検証する方法の指示が、素人に容易に説明され得る。
【０００４】
依然として、偽造防止のための、光学セキュリティ要素における新規な識別可能な特性が常に必要である。
【０００５】
概要
したがって、本発明の目的は、技術的手段なしで人が容易に検証することができる新規なセキュリティ特性を有した光学要素を提供することである。更なる目的は、このような光学的構成部品を製造する方法を提供することである。
【０００６】
本発明の第１の態様によれば、非周期的、異方性面レリーフ微細構造を有する領域を含む光学要素であって、光が要素の面に入射するときに、第１のイメージが第１の視角下において最適に見え、第２のイメージが第２の視角下において最適に見えるように、第１及び第２のイメージが、非周期的、異方性面レリーフ微細構造のパターンによって少なくとも部分的に符号化される、光学要素が提供される。
第１及び第２の視角は、同一でない。
【０００７】
「最適に見える」という用語は、イメージが最大コントラストで現れることを意味する。好ましくは、要素の構造は、第１のイメージが最適に見えるときに、第２のイメージは見えないか又はほとんど見えなく、第２のイメージが最適に見えるときに、第１のイメージは見えないか又はほとんど見えない。
【０００８】
それぞれ、第３の又は追加的な視角下において最適に見えるパターンによって符号化された３つ以上のイメージが存在し得る。個々のイメージが最適に見える視角は、互いに異なる。
【０００９】
イメージの少なくとも１つの部分のための非周期的、異方性面レリーフ微細構造符号化は、下部区域から上部区域への及び上部区域から下部区域への遷移の面変調を有する領域を含むことが好ましい。好ましくは、面領域の第１の横方向に、２０マイクロメートル内毎に上部区域から下部区域への又はその逆への平均で少なくとも１つの遷移が存在し、好ましくは、追加的に、第１の方向に対して垂直である面領域の第２の横方向に、２００マイクロメートル内毎に上部区域から下部区域への又はその逆への平均で少なくとも１つの遷移が存在する。好ましくは、第１の方向は、異方性微細構造の対称方向と平行である。
【００１０】
好ましくは、非周期的、異方性面レリーフ微細構造の平均構造深さが６０nmより大きく、より好ましくは、微細構造の平均構造深さが９０nmより大きい領域が存在する。色をもたらすために、微細構造の平均構造深さは、好ましくは１８０nmより大きく、より好ましくは３００nmより大きく、最も好ましくは４００nmより大きい。識別可能な色を提供するための平均構造深さの好ましい範囲は、１８０nm〜２３０nm、２４０nm〜２８０nm、２９０nm〜３４５nm、３６５nm〜３８０nm、及び４３０nm〜６００nmである。
【００１１】
本出願の文脈において、「イメージ」という用語は、任意の種類の光学情報、例えば、写真、マイクロテキストを含むテキスト、数、図画、バーコード、記号、文字、図、及びグラフィックスを指す。好ましくは、イメージは、写真、好ましくは顔の写真、テキスト、数、又はグラフィックスを表す。
【００１２】
イメージは、光学的コントラストで表示される場合にのみ知覚され得る。従来例のように、黒い紙の上に黒いインクで印刷された文字は、ほとんど見えない。したがって、文字が印刷される背景が文字の外観と光学的に異なることが重要である。文字が白い紙上に印刷される場合、知覚されるイメージは、白い背景上の黒い文字である。
【００１３】
他方で、テキストは、例えばインクジェット又はレーザープリンタを使用して、白い紙の上に、黒い背景に白い文字で印刷され得る。この場合に実際に印刷されるものは、文字ではなく背景であり、文字の領域を除くすべての場所が印刷される。しかし、光学情報して知覚されるものは、テキストである。したがって、本出願の文脈において、唯一の違いがイメージコントラストであるならば、イメージは、同一のイメージとみなされる。特に、ポジティブ又はネガティブコントラストのイメージは、同じイメージとみなされる。本発明の異なる実施形態では、イメージは、第１の視角下においてポジティブコントラストで、別の視角下においてネガティブコントラストで現れ得る。このような状況では、ポジティブ及びネガティブコントラストイメージは、同じイメージとみなされ、本発明による第１及び２のイメージと混同されない。
【００１４】
テキストが白い紙の上に黒で印刷される上記の例では、文字は光学情報と、白い紙は背景と識別され得る。しかしながら、多くのイメージに対して、このような割り当てを行うことができない。例えば、イメージがモノクロのチェック模様である場合、情報が、白い背景上の黒い正方形からなるか又は黒い背景上の白い正方形からなるかどうか明らかではない。したがって、本出願の文脈において、「イメージ」という用語は、上記の例では文字及び背景並びにチェック模様のモノクロ部分などの、イメージの知覚に寄与するあらゆる部分を含むと理解される。
【００１５】
本発明により異方性面レリーフ構造のパターンによって少なくとも部分的に符号化されるイメージは、以下イメージ単位と呼ばれる、正方形又は線などの、小さい単位に分割され得る。イメージ単位は、例えば異なるイメージの交互配置を可能にするために、互いに離れて間隔を置かれ得る。
【００１６】
イメージは、非周期的、異方性面レリーフ微細構造を有する及び有しない領域を含んだパターンによって符号化され得る。
【００１７】
第１及び第２のイメージの領域は、要素の面上で重なり合っても又は分離してもよい。
【００１８】
好ましくは、第２のイメージは、第１のイメージの一部分又は全体の幾何学的変換として構築され得る、少なくとも１つの部分を含む。好ましくは、第１及び第２のイメージのそれらの部分に、非周期的、異方性面レリーフ微細構造を有する領域が存在する。幾何学的変換の例としては、平行移動、ミラーリング、回転、スケーリング、及び点反転が挙げられる。幾何学的変換はまた、任意の順序の上述の変換のうちの１つ以上の組み合わせであってもよい。幾何学的変換によって第１のイメージから構築される第２のイメージの利点は、光学要素を傾斜又は回転させる際に何が起こるかを一般人に容易に説明できることである。関連した幾何学的変換を説明すればよいので、第１及び第２のイメージの内容を説明する必要がない。例えば、説明は「第１の視角下において現れる第１のイメージが存在し、要素を回転又は傾斜させる際に、ミラーリングされた、同じイメージが現れる」とすることができる。このような容易な指示は、何人でも記憶することができ、したがって、このような特性を使用した光学セキュリティ要素は、誰でも容易に検証することができる。
【００１９】
好ましい実施形態では、第２のイメージは、第１のイメージ又は第１のイメージの一部分から変形によって構築され得る少なくとも１つの部分を含む。
【００２０】
本発明の第２の態様によれば、本発明の第１の態様による要素を含む要素を製造する方法が提供される。光が要素の面に入射するときに、第１のイメージが第１の視角下において最適に見え、第２のイメージが第２の視角下において最適に見える特性を有する光学要素を製造する方法は、要素上に非周期的、異方性面レリーフ微細構造のパターンをもたらし、その結果、パターンが、微細構造の異なる異方性方向の領域を含み、第２のイメージの情報内容を符号化するパターンが、第１のイメージの情報内容を符号化するパターンにおいて使用されない異方性方向を有した少なくとも１つの領域を有すること、を含む。
【図面の簡単な説明】
【００２１】
【図１．１】等方性構造化面での光反射の図である。
【図１．２】図１．１と類似するが、異方性散乱面での反射による特徴的な出力光分布を示す。
【図２】異なる異方性配向を有した画素を示す。
【図３．１】イメージの異なるゾーンにおける異なる面特性によって符号化されたイメージを示す。図３．１の例は、非周期的、異方性面レリーフ微細構造、並びに等方性散乱、吸収、及び反射特性を使用する。
【図３．２】図３．２では、イメージは、局所的に異なる異方性方向を有する非周期的、異方性面レリーフ微細構造を有した領域によってのみ表される。
【図４．１】図４．１は、それぞれ、第１及び第２の視角下において最適に見える第１及び第２のイメージを符号化する非周期的、異方性面レリーフ微細構造を有した光学要素を示す。
【図４．２】加えて、図４．２に示されるように、イメージの各々を、視角に応じてポジティブ及びネガティブコントラストで見ることができる。
【図４．３】加えて、図４．３に示されるように、イメージの各々を、視角に応じてポジティブ及びネガティブコントラストで見ることができる。
【図４．４】加えて、図４．４に示されるように、イメージの各々を、視角に応じてポジティブ及びネガティブコントラストで見ることができる。
【図４．５】加えて、図４．５に示されるように、イメージの各々を、視角に応じてポジティブ及びネガティブコントラストで見ることができる。
【図５】イメージの異なるゾーンにおける異なる面特性によって符号化された２つのイメージを含む、光学要素を示す。２つのイメージ間の唯一の違いは、非周期的、異方性面レリーフ微細構造における異方性方向である。
【図６】第２のイメージが第１のイメージの幾何学的変換、この場合スケーリング及び平行移動の組み合わせ、として構築された、本発明の好ましい実施形態の一例を示す。
【図７】第２のイメージが第１のイメージの幾何学的変換、この場合回転及び平行移動の組み合わせ、として構築された、本発明の好ましい実施形態の一例を示す。
【図８．１】イメージ単位のいろいろな形状及び配列を示す。
【図８．２】イメージ単位のいろいろな形状及び配列を示す。
【図８．３】イメージ単位のいろいろな形状及び配列を示す。
【図８．４】イメージ単位のいろいろな形状及び配列を示す。
【図８．５】イメージ単位のいろいろな形状及び配列を示す。
【図８．６】イメージ単位のいろいろな形状及び配列を示す。
【図９．１】六角形のイメージ単位のマトリックスへの２つのイメージの割り当てを示す。
【図９．２】六角形のイメージ単位のマトリックスへの２つのイメージの割り当てを示す。
【図９．３】六角形のイメージ単位のマトリックスへの２つのイメージの割り当てを示す。
【図９．４】六角形のイメージ単位のマトリックスへの２つのイメージの割り当てを示す。
【図９．５】六角形のイメージ単位のマトリックスへの２つのイメージの割り当てを示す。
【図１０．１】視角に応じてイメージが異なるサイズで現れ、その結果、ズーム効果が観察者によって知覚される光学要素を示す。
【図１０．２】視角に応じてイメージが異なるサイズで現れ、その結果、ズーム効果が観察者によって知覚される光学要素を示す。
【図１０．３】視角に応じてイメージが異なるサイズで現れ、その結果、ズーム効果が観察者によって知覚される光学要素を示す。
【図１０．４】視角に応じてイメージが異なるサイズで現れ、その結果、ズーム効果が観察者によって知覚される光学要素を示す。
【図１１．１】第２のイメージが第１のイメージの鏡像である、第１及び第２のイメージが異なる視角で現れる光学要素を示す。
【図１１．２】第２のイメージが第１のイメージの鏡像である、第１及び第２のイメージが異なる視角で現れる光学要素を示す。
【図１１．３】第２のイメージが第１のイメージの鏡像である、第１及び第２のイメージが異なる視角で現れる光学要素を示す。
【図１１．４】第２のイメージが第１のイメージの鏡像である、第１及び第２のイメージが異なる視角で現れる光学要素を示す。
【発明を実施するための形態】
【００２２】
発明の詳細な説明
本発明による要素の光学的効果は、異方性の光散乱に基づく。図１．１及び図１．２は、等方性の光散乱と異方性の光散乱との間の違いを示す。
【００２３】
等方性散乱面での散乱は、方位方向が好ましくない。図１．１に指示されるように、平行な入射光１は、特徴的な軸対称出力光分布及び特徴的な発散角度４を有して、散乱面２で新しい出射方向３に方向転換される。
【００２４】
異方性散乱面の場合には、光は、好ましい方位方向に散乱する。図１．２では、平行な入射光１は、異方性散乱面５に衝突し、特徴的な出力光分布７を有して新しい出射方向６に方向転換される。
【００２５】
本発明の文脈において、異方性方向という用語は、層の平面内の局所的な対称軸、例えば微細構造の溝又はくぼみに沿った方向を意味する。
【００２６】
面が、図２の方向１０、１１のような、局所的に異なる異方性方向を有する異方性構造のパターンを含む場合、パターンの個々の領域は異なる方向に入射光を散乱させる。パターンは、このとき、斜めからの観察によって又は斜入射光を使用することによって、認識され得る。
【００２７】
一般的に、イメージは、非周期的、異方性面レリーフ微細構造を有する及び有しない領域を含んだパターンによって符号化され得る。非周期的、異方性面レリーフ微細構造を有しない領域は、異なる面特性を有することができる。例えば、それらは、等方性散乱することができるか、反射することができるか、又は周期的等方性若しくは異方性構造を有することができる。更に、例えば、対応する領域が任意の色又は白黒で印刷される場合に、これらの領域は、特定の可視波長範囲又は全可視波長範囲（単数又は複数）の光を吸収することができる。イメージは、異なる領域にこれらの面特性のうちのいくらかを含むことができる。
【００２８】
図３．１は、異なる光学的特性の領域によって符号化されたイメージ２０の一例を示す。図３．１に示される車は、異なる光学特性によって各々符号化された、異なる部分を含む。車の車体２３を表す領域は、例えば、非周期的、異方性面レリーフ微細構造を有することができる。窓２３に対応する領域は、等方性散乱することができる。車輪２４は、インク、例えば黒いインク、で印刷され得る。リム２５は、周期的異方性微細構造を有し、背景２１は反射することができる。
【００２９】
図３．２は、上記と同じ車でイメージ３０を示すが、共に非周期的、異方性面レリーフ微細構造を有することができる、２種類の領域のみによって符号化される。２つの領域の異方性方向は、互いに異なる。例えば、車体３２及び車輪３４を表す領域は、同じ異方性方向を有するが、窓３３、リム３５、及び背景は、別の異方性方向を有する。
【００３０】
イメージを表すパターンが、図３．２のパターンのように、異なる異方性方向の非周期的、異方性面レリーフ微細構造を有した少なくとも２つの領域を含む場合、２つの異方性方向は、好ましくは８０度と１００度との間の角度、より好ましくは８５度と９５度との間の角度、最も好ましくは９０度の角度異なる。このようなパターンを含む光学要素は、要素を傾斜又は回転させる際に明確なポジティブ−ネガティブ切替を示す。
【００３１】
本発明の一例が、図４．１〜４．５に示される。図４．１には、第１及び第２のイメージを符号化する、非周期的、異方性面レリーフ微細構造を有する領域を含んだ、光学的構成部品４０が示される。第１のイメージは、微細構造４２を有する背景上の微細構造４３のパターン４１によって表された文字「Ａ」である。微細構造４２及び４３は、異方性方向が異なり、互いに９０度の角度になる。例えば、微細構造４３の異方性方向は、４５度で配向されて、微細構造４６は、基準方向に対して１３５度で配向される。第２のイメージは、微細構造４５を有する背景上の微細構造４６のパターン４４によって表された文字「Ｂ」である。微細構造４５及び４６は、異方性方向が異なり、互いに９０度の角度になる。例えば、微細構造４５の異方性方向は、０度で配向されて、微細構造４６は、上記の基準方向に対して９０度で配向される。イメージ４１に関する微細構造の異方性方向は、イメージ４４の異方性方向に対して４５度回転する。図４に関して上述された微細構造は、非周期的、異方性面レリーフ微細構造である。
【００３２】
図４．２は、第１のイメージ５１が最適に見える第１の視角下における光学要素４０の外観５０を示す。観察者には、明るい背景上に暗い文字「Ａ」が見え、文字は、この場合には、ポジティブコントラストとみなされる。図４．３は、第１のイメージ５１が最適に見える別の視角下における光学要素４０の外観５４を示す。観察者には、暗い背景上に明るい文字「Ａ」が見え、したがって、文字は、ネガティブコントラストで現れる。
【００３３】
図４．４は、第２のイメージ６１が最適に見える第２の視角下における光学要素４０の外観６０を示す。観察者には、明るい背景上に暗い文字「Ｂ」が見え、したがって、文字は、ポジティブコントラストで現れる。図４．５は、第２のイメージ６１が最適に見える別の視角下における光学要素４０の外観６４を示す。観察者には、暗い背景上に明るい文字「Ｂ」が見え、したがって、文字は、ネガティブコントラストで現れる。
【００３４】
一般的に、第１及び第２のイメージに関する微細構造の異方性方向は、どのような角度で異なってもよい。しかしながら、共に非周期的、異方性面レリーフ微細構造を有した、第１のイメージに関する区域及び第２のイメージに関する区域が存在することが好ましく、その結果、第１及び第２のイメージの前記区域の異方性方向は、２２．５度と６７．５度との間の角度、より好ましくは３０度と６０度との間の角度、最も好ましくは４０度と５０度との間の角度異なる。
【００３５】
本発明の好ましい実施形態では、第２のイメージは、第１のイメージの一部分又は全体の幾何学的変換として構築され得る、少なくとも１つの部分を含む。好ましくは、第１及び第２のイメージのそれらの部分に、非周期的、異方性面レリーフ微細構造を有する領域が存在する。幾何学的変換の例としては、平行移動、ミラーリング、回転、スケーリング、及び点反転が挙げられる。回転又はスケーリングの中心は、どこにあってもよく、特に、イメージの領域の内側又は外側にすることができる。好ましくは、スケーリングの中心は、イメージの中心と一致する。同様に、点反転のための反転中心は、イメージの領域の内側又は外側にすることができる。また、ミラーリング動作のための鏡面線は、どこにあってもよく、特に、イメージの領域の内側又は外側にすることができる。幾何学的変換はまた、任意の順序の上述の変換のうちの１つ以上の組み合わせであってもよい。鏡面対称イメージは、鏡映動作の結果とみなされてはならない。例えば、「Ａ」、「Ｈ」、「Ｉ」、「Ｍ」、「Ｏ」、「Ｔ」、「Ｕ」、「Ｖ」、「Ｗ」、「Ｘ」のような字は、鏡面対称であるが、鏡映動作は、平行移動及び回転の組み合わせとすることもできる。幾何学的変換は、イメージを符号化することができる面レリーフ微細構造に関するのではなく、イメージに関するだけである。例えば、幾何学的変換が特定の角度での回転を含む場合、第２のイメージの領域の異方性方向は、第１のイメージの対応する領域に対して同じ角度で回転する必要はない。第２の例として、幾何学的変換がスケーリング動作を含む場合、この動作はイメージに関連するだけであり、微細構造がスケーリングされる必要はない。
【００３６】
イメージの異なる部分は、個々に変換され得る。例えば、数の各々の数字は、異なるスケーリングの中心でスケーリングされ得る。
【００３７】
図５は、本発明による光学要素２９の一例を示し、第２のイメージ２８が、平行移動によって、車である第１のイメージ２７から構築される。第１及び第２のイメージ間の唯一の違いは、位置、及び車の車体２２、２６の領域における非周期的、異方性面レリーフ微細構造の、例えば４５度異なる、異方性方向である。車の他の領域は、図３．１に関して述べられた特性と同じ特性を有することができ、すなわち、窓２３に対応する領域が、等方性散乱することができ、車輪２４がインク、例えば黒いインク、で印刷され、リム２５が周期的異方性微細構造を有し、背景２１が反射することができることを意味する。その結果、第１のイメージの車の車体が、したがって第１のイメージ自体もまた、第１の視角下において最適に見え、第２のイメージの車の車体が、したがって第２のイメージ自体もまた、第２の視角下において最適に見える。
【００３８】
図６は、本発明の一例として、光学要素７０を示し、第２のイメージ７２が、平行移動及びスケーリングによって第１のイメージ７１から構築され、イメージ７１が視角に応じて異なる位置で縮小又は拡大スケールで現れることを意味する。幾何学的変換はまた、第１のイメージの領域の外側にスケーリング中心を有したスケーリングとすることができる。例では、第１のイメージ７１の数「１０」の数字に対応する領域７４並びに背景７３は、非周期的、異方性面レリーフ微細構造を有し、異方性方向が、例えば、９０度異なる。イメージ７２もまた、それぞれ数「１０」の数字及び背景を表す領域７６及び７５を有した、非周期的、異方性面レリーフ微細構造のパターンによって符号化される。領域７５及び７６の異方性方向は、例えば、９０度異なることができる。数字７４、７６の領域における異方性方向は、４５度異なることができる。同様に、背景７３、７５における異方性方向は、４５度異なることができる。したがって、第１のイメージは、第１の視角下において最適に見え、第２のイメージは、第２の視角下において最適に見える。数字及び背景の微細構造のため、イメージ７１及び７２は、視角に応じて、ポジティブイメージ及びネガティブイメージとして現れる。
【００３９】
図７は、本発明の一例として、光学要素７９を示し、第２のイメージ７７が、平行移動及び回転によって第１のイメージ７１から構築される。例では、第１のイメージ７１の数「１０」の数字に対応する領域７４並びに背景７３は、非周期的、異方性面レリーフ微細構造を有し、異方性方向が、例えば、９０度異なる。イメージ７７もまた、それぞれ数「１０」の数字及び背景を表す領域７６及び７５を有した、非周期的、異方性面レリーフ微細構造のパターンによって符号化される。領域７５及び７６の異方性方向は、例えば、９０度異なることができる。数字７４、７６の領域における異方性方向は、４５度異なることができる。同様に、背景７３、７５における異方性方向は、４５度異なることができる。したがって、第１のイメージは、第１の視角下において最適に見え、第２のイメージは、第２の視角下において最適に見える。数字及び背景の微細構造のため、イメージ７１及び７２両方は、視角に応じて、ポジティブイメージ及びネガティブイメージとして現れる。
【００４０】
イメージの情報内容は、イメージ単位に分割され得る。第１の、第２の、又は追加的なイメージに割り当てられたイメージ単位は、特定の領域を共有するように、分布させることができる。このようにして、実質的に同じ位置に異なるイメージを配置することが可能であり、その結果、イメージは、部分的に又は完全に重なり合う。イメージ単位は、多角形、好ましくは正多角形、又は円などの、任意の形状を有することができる。好ましい形状は、正方形、長方形、台形、三角形、六角形、円である。図８．１は、第１又は第２のイメージの情報内容に割り当てられる、六角形に分割された領域を示す。例示的な割り当ては、六角形の内側の数１及び２によって指示される。図８．２は、六角形に分割された領域の一例を示し、３つのイメージの情報内容間で六角形のイメージ単位を分配する。例示的な割り当ては、六角形の内側の数１、２及び３によって指示される。図８．３は、それぞれ、第１及び第２のイメージの情報内容に割り当てられた、正方形の一例を示す。図８．４では、交互ストライプが、それぞれ、第１及び第２のイメージに割り当てられる。異なるイメージの情報内容に対応するイメージ単位は、いろいろな方法で、例えば図８．４の、交互線で、配列されるか、又は例えば図８．３の、行及び／若しくは列で、若しくはより複雑な分布で配列され得る。
【００４１】
異なるイメージの情報内容に関するイメージ単位は、サイズ、形状、及び数を異にすることができる。例えば、図８．５の例のように、円の領域は、第１のイメージの情報内容を符号化するために使用され、円の領域の間の領域は、第２のイメージの情報内容を符号化するために使用され得る。別の例は、図８．６に示され、台形状の単位が、第１のイメージの情報内容に割り当てられ、三角形状の単位が、第２のイメージの情報内容に割り当てられる。異なるイメージのイメージ単位を含む領域では、例えば図８．６の台形単位及び三角形単位の総面積などの、異なるイメージの情報内容を符号化するイメージ単位の総面積は、異なってもよい。これにより、異なるイメージの光学的コントラストを制御して、したがって光学印象のバランスをとることが可能となる。例えば、１つのイメージが非常に弱く見え、別のイメージが非常に高いコントラストで見えしたがって優位であることが可能である。多くの用途で、個々のイメージに割り当てられたイメージ単位の総面積は、略同じである。個々のイメージに割り当てられたイメージ単位の総面積が等しくバランスをとらない場合には、最も小さい総面積に対する最も大きい総面積の比は、好ましくは１．３：１以上であり、より好ましくは１．６：１以上であり、最も好ましくは２：１以上である。
【００４２】
イメージ単位はまた、ディザリングによってイメージの知覚グレーレベルを調整するために使用され、これは、領域の明るさが多数のイメージ単位の平均値であることを意味する。グレーレベルに平均化させるイメージ単位は、例えば、それぞれ、特定の視角で、暗い又は明るいと知覚され得る２つの異なる異方性方向を有することができ、観察者の眼が、グレーの印象に平均化する。好ましくは、本発明による光学要素において使用されるイメージは、３つ以上のグレーレベルを符号化する非周期的、異方性面レリーフ微細構造を有した領域を有する。非周期的、異方性面レリーフ微細構造が８つ以上、１６つ以上、３２つ以上、又は６４つ以上のグレーレベルを符号化するイメージが、より好ましい。
【００４３】
図９．１〜９．５は、第１のイメージとしての文字「Ａ」及び第２のイメージとしての文字「Ｂ」が、互いに重なり合い、共に異なる異方性軸を有する非周期的、異方性面レリーフ微細構造によって符号化される一例を示す。例では、領域８０は、それぞれ、六角形８１の内側の数１又は六角形８２の内側の数２によって指示される、第１又は第２のイメージに割り当てられた六角形のイメージ単位に分けられる。図９．１は、六角形マトリックスの領域８０内における文字「Ａ」の所望の形状及び位置８３を示す。図９．２は、六角形マトリックスの領域８０内における文字「Ｂ」の所望の形状及び位置８４を示す。図９．３は、第１のイメージに割り当てられる六角形単位のパターン構成を示すが、第２のイメージに割り当てられた六角形は、数２によって指示される。図９．３の例では、文字「Ａ」の形状８３と重なり合うイメージ単位の部分は、網掛方向によって指示される第１の異方性方向８６を有した非周期的、異方性面レリーフ微細構造を有するが、重なり合わない領域は、第２の異方性方向８５を有した非周期的、異方性面レリーフ微細構造を有する。図９．３の描画では、第１及び第２の方向は、互いに垂直とされる。文字「Ａ」と部分的に重なり合う六角形単位は、例えば重なり合うか又は重なり合わない領域のうちの大きいほうによって決定された、均一な異方性方向を有することができる。図９．３の描画において、例えば六角形８７において、対応する網掛方向によって指示されるように、良好なイメージ解像度のために、イメージ単位を重なり合う及び重なり合わない部分に分割して微細構造の対応する異方性方向を適用することが好ましい。
【００４４】
同じように、図９．４は、第２のイメージに割り当てられる六角形単位のパターン構成を示すが、第１のイメージに割り当てられた六角形は、数１によって指示される。文字「Ｂ」の形状８４と重なり合うイメージ単位の部分は、網掛方向によって指示される第３の異方性方向８９を有した非周期的、異方性面レリーフ微細構造を有するが、重なり合わない領域は、第４の異方性方向８８を有した非周期的、異方性面レリーフ微細構造を有する。図９．４の描画では、第３及び第４の方向は、互いに垂直とされる。文字「Ｂ」と部分的に重なり合う六角形単位のために、領域は、重なり合う及び重なり合わない部分に分割され、微細構造の対応する異方性方向が、図９．４の描画において対応する網掛方向によって指示される。第３の異方性方向８９は、好ましくは、第１の異方性方向８６に対して＋４５度又は−４５度の角度に配向される。第４の異方性方向８８は、好ましくは、第２の異方性方向８５に対して＋４５度又は−４５度の角度に配向される。
【００４５】
図９．３及び図９．４の所望の文字Ａ及びＢの輪郭は、パターン構成の概念の例示のために示されるだけであり、イメージ単位の重なり合う及び重なり合わない部分への細分化のために発生するそれらの境界を除き、パターンの一部分を形成しない。
【００４６】
図９．５は、図９．３及び図９．４によるパターン構成から生じた、完全なパターンを示す。文字Ａ及びＢの形状は、重なり合う及び重なり合わない部分に細分化されたイメージ単位の内側の異なる微細構造方向の領域間の境界を除き、示されない。
【００４７】
光が図９．５の非周期的、異方性面レリーフ微細構造のパターンを含む光学要素に入射するとき、文字「Ａ」は、第１の視角下において最適に見え、文字「Ｂ」は、第２の視角下において最適に見える。両方の文字は、光学要素のほとんど同じ位置に見える。文字及び背景の領域内の微細構造のため、両方の文字は、視角に応じて、ポジティブイメージ及びネガティブイメージとして現れる。
【００４８】
本発明の好ましい実施形態では、第２のイメージは、第１のイメージの少なくも１つの部分のスケーリングによって構築され得る、少なくとも１つの部分を含み、第１及び第２のイメージの領域が重なり合う。好ましくは、重なり合う領域は、イメージ単位に分けられ、その結果、第１、第２、又はそれ以上のイメージの部分が、上で説明したような異なるイメージ単位に割り当てられ得る。スケーリングの中心は、イメージの内側又は外側にすることができる。この場合には、第２のイメージは、第１のイメージの関連した部分の拡大又は縮小イメージとして現れる。好ましくは、光学的構成部品は、非周期的、異方性面レリーフ微細構造のパターンによって少なくとも部分的に符号化され、それぞれ、第３の又は追加的な視角下において最適に見える第３又はそれ以上のイメージを含む。第２、第３、又はそれ以上の数のイメージの割り当ては、光学要素を回転又は傾斜させる際の関連したイメージの外観の順序に対応するようなものとなる。第２のイメージのように、第３又は追加的なイメージは、第１のイメージの少なくも１つの部分のスケーリングによって構築され得る、少なくとも１つの部分を含み、第１及び第３並びに任意追加的なイメージの領域が重なり合う。第２、第３、及び任意追加的なイメージの構築のためのスケーリングの中心は、好ましくは、互いに一致する。第２、第３、及び任意追加的なイメージの構築のための倍率は、互いに異なる。好ましくは、倍率は、イメージの順序に伴って単調増加又は減少する。光学要素を傾斜又は回転させるときに観察者が知覚する光学的効果は、それぞれ、イメージをズームイン又はアウトする効果である。図１０は、視角を変化させる際にズーム効果を提供する光学要素の一例を示す。光学要素９５は、図１０．１に示される、第１の視角下において最適に見える、第１のイメージ９６を含む。第１のイメージは、第１のサイズを有する数１０である。イメージは、第１の異方性方向を有した非周期的、異方性面レリーフ微細構造によって符号化される。図１０．１はまた、輪郭によって第２のイメージ９７、第３のイメージ９８、及び第４のイメージ９９を示す。第１、第２、第３、及び第４のイメージは、互いに部分的に重なり合う。好ましくは、重なり合う領域のイメージは、イメージ単位に分割され、その結果、個々のイメージの部分が、上で説明したような異なるイメージ単位に割り当てられ得る。第２、第３、及び第４のイメージの各々は、異なる倍率によって第１のイメージから構築され、その結果、イメージのサイズは、イメージ順に増加する。スケーリング中心は第１のイメージの中心と一致するが、上述したように任意の他の位置にあってもよい。第１、第２、第３、及び第４のイメージは、各々異なる異方性方向を有した、非周期的、異方性面レリーフ微細構造によって符号化される。数１０の外側の領域はまた、イメージの各々の異方性方向と異なる異方性方向を有した、非周期的、異方性面レリーフ微細構造を含むことができる。しかしながら、４つのイメージの各々の背景であるこれらの領域は、任意の他の面特性を有することができる。第１の視角では、イメージ９６だけが最適に見え、イメージ９７、９８、及び９９は、第１のイメージ９６と比較して低いコントラストで見えるだけであるか又は見えない。例えば光学要素９５を更に傾斜させることによって調整され得る第２の視角では、イメージ９７が、図１０．２に示されるように、最適に見えるようになる。光学要素を更に傾斜させることによって、第３のイメージ９８が、第３の視角で最適に見えるようになり、第４のイメージ９９が、第４の視角で最適に見えるようになる。光学要素を連続的に傾斜させることによって、４つのイメージが、順番に見えるようになり、傾斜方向に応じてズームイン又はアウトの印象を与える。
【００４９】
本発明の別の好ましい実施形態では、第１のイメージは、立体感を有し、観察者によってある程度の奥行を有するものとして知覚されることを意味する。この場合、第２のイメージは、奥行反転イメージである。例えば、第１のイメージは、イメージの少なくとも１つの部分が、光学要素と観察者との間を意味する、光学要素の平面の上にあるという印象を与えることができる。この場合、第２のイメージは、光学要素平面の後にあるように見える少なくとも１つの部分を有する。好ましくは、第１及び第２のイメージの情報内容は、奥行知覚を除き、大部分同一である。イメージに特定の奥行感を与えるために当技術分野において公知のいくらかの設計方法が存在する。周知の例は、非押状態から押状態に外観を変化させることができる、コンピュータプログラムのユーザインタフェースにおいて使用されるボタンアイコンである。好ましくは、第１及び第２のイメージの重なり合う領域は、イメージ単位に分けられ、その結果、第１及び第２のイメージの部分が、上で説明したような異なるイメージ単位に割り当てられ得る。
【００５０】
本発明の好ましい実施形態のうちの１つでは、第２のイメージは、第１のイメージの少なくとも１つの部分のミラーリングによって構築され得る、少なくとも１つの部分を含む。鏡面線は、任意の位置にあり、任意の方向を有することができる。好ましくは、第１のイメージから第２のイメージへの幾何学的変換は、平行移動を含む。したがって、鏡面線が第１のイメージの領域の外側にある場合でも、第２のイメージは、第１のイメージと完全に又は部分的に重なり合うことができる。好ましくは、重なり合う領域は、イメージ単位に分けられ、その結果、第１、第２、又はそれ以上のイメージの部分が、上で説明したような異なるイメージ単位に割り当てられ得る。図１１は、本発明による光学要素９０の一例を示し、図１１．２の第２のイメージ９２が、図１１．１の第１のイメージ９１の鏡像であり、第１及び第２のイメージの両方が、異なる視角で、同じ位置に現れる。要素を傾斜又は回転させることによって、観察者は、イメージと鏡像との間を切り替えることができる。加えて、イメージ及び鏡像は、適切な視角の調整のために要素を傾斜又は回転させる際に、図１１．３及び図１１．４のネガティブイメージ９３、９４として現れる。観察のための異なる視角は、光学要素の異なる視点によって、図１１に指示される。光学特性の検証は角度の測定のためのツールを必要とし、検証プロセスは複雑でかつ時間がかかってしまうので、観察者に適切な視角に関する詳細な指示をする必要がない。それぞれの視角範囲が調整されるような配向であるならば第１及び第２のイメージがポジティブ及びネガティブイメージとして自動的に現れるので、光学特性の検証が可能であるように、観察者が必要とする唯一の指示は、要素を回転及び傾斜させることである。同じ位置でのイメージ及び鏡像の重なり合わせには、視角の変化によるイメージの鏡像への遷移という驚くべき効果がある。当然、鏡像を光学要素の他のどこかに位置付けることも可能である。
【００５１】
一定の間隔の後に構造自体を繰り返し、したがって周期の構造が既知ならば予測可能である周期的構造とは対照的に、非周期的構造の面プロファイルは、構造の既知の部分から離れたところでは予測できない。非周期的である面プロファイルの決定のために、自己相関関数及び関連する自己相関長さが使用され得る。面プロファイルの自己相関関数は、平面において距離ｘで空間的に分離された２つの点に対する、面プロファイルの予測可能性のための尺度として理解され得る。
【００５２】
面レリーフ微細構造プロファイルなどの関数Ｐ（ｘ）の自己相関関数ＡＣ（ｘ）は、
【数１】
2018512622.tif 000003
と定められる。
【００５３】
非周期的又は非決定的面プロファイルでは、自己相関関数は、ｘの増加と共に急速に減衰する。他方で、例えば格子に見られる決定的面プロファイルでは、自己相関関数は、周期的な関数で変調されて、振幅は減衰しない。
【００５４】
自己相関関数を用いて、単一の特徴的な数である、自己相関長さＬが、定められ得る。自己相関長さＬは、自己相関関数の包絡線が特定の閾値まで減衰する長さである。本目的のために、ＡＣ（ｘ＝０）の１０％の閾値が、好適であることが判明した。
【００５５】
本発明の文脈において、非周期的、異方性面レリーフ微細構造が、自己相関長さ内でｘ＝０でＡＣの１０％まで減衰する包絡線を有した平均化された１次元自己相関関数ＡＣ（ｘ）を少なくとも１つの方向に有することが好ましく、自己相関長さが、隆起及びくぼみなどの、上部及び下部区域の隣接する遷移間の横方向の平均距離の３倍未満である。好ましくは、１つの方向は、異方性方向に対して垂直である。好ましくは、異方性面レリーフ微細構造がまた、異方性方向ｙに沿って変調され、その結果、平均化された自己相関関数ＡＣ（ｙ）の包絡線は、自己相関長さ内でｙ＝０でＡＣの１０％まで減衰し、自己相関長さが、異方性方向に沿った上部及び下部区域の隣接する遷移間の横方向の平均距離の３倍未満である。
【００５６】
自己相関長さが上部及び下部区域の隣接する遷移間の横方向の平均距離の２倍未満である面レリーフ微細構造が、より好ましい。自己相関長さが上部及び下部区域の隣接する遷移間の横方向の平均距離より短い面レリーフ微細構造が、更に好ましい。
【００５７】
好ましくは、自己相関長さ（Ｌ）は、上部及び下部区域の隣接する遷移間の横方向の平均距離の１００分の１より大きい。
【００５８】
コポリマーにおける自己組織化又はディウェッティング、レーザーアブレーション、電子又はイオンビームリソグラフィー、及びナノインプリントリソグラフィーなどの、非周期的、異方性面レリーフ微細構造を生成するために使用され得る、いろいろな公知の方法が存在する。微細構造は、例えば、微細構造を包含するエンボス加工ツールを使用したエンボス加工によって簡単に複製され得る。
【００５９】
非周期的、異方性面レリーフ微細構造を製造する好ましい方法は、その内容が参照により本明細書に組み込まれる、国際特許出願WO 01/29148に説明される。方法は、いわゆるモノマーコルゲーション（ＭＣ）技術を使用する。ＭＣ技術は、基板に適用された特殊な混合物又はブレンドの相分離が架橋によって、例えば紫外線放射への暴露によって、誘起されるという事実に依拠する。非架橋成分のその後の除去により、特殊な面トポロジーを有した構造が残る。ＭＣ層という用語は、この技術により調製された層のために使用される。微細構造の異方性は、例えば液晶混合物が使用される場合に達成され、下にあるアラインメント層によってアラインメントされ得る。配向パターンを有するアラインメント層を使用することによって、パターン化された、非周期的、異方性面レリーフ微細構造を作製することが可能である。
【００６０】
WO 2006/007742は、特定の観察角度下においてパステル色の外観を生成する、修正されたＭＣ層及び層構造をもたらすための方法を開示する。
【００６１】
WO2007/131375は、上部及び下部水平域を有した非周期的、異方性面レリーフ微細構造をもたらす方法を開示し、格子によってもたらされる色とは対照的に、光の入射角度によってほとんど変化しないパステル色をもたらすことを可能にする。面の異なる区域が異なる深さの構造を有することができるので、このような構造によって散乱する本来は白色の光は、散乱する区域に応じて、異なる色に変化することができる。
【００６２】
好ましくは、方法は、基板上に薄いフォトアラインメントフィルムをコーティングする工程と、フォトアラインメントフィルムの個々の領域を異なる偏光方向の直線偏光のＵＶ光に暴露することにより配向パターンをもたらす工程と、フォトアラインメントフィルムの上部に架橋可能及び非架橋可能な液晶材料のブレンドをコーティングする工程と、液晶ブレンドを架橋する工程と、例えば適切な溶媒を使用して、非架橋材料を除去する工程と、を含む。
【００６３】
液晶ブレンドの架橋は、化学光への暴露によって行われることが好ましい。架橋プロセスは、液晶プレポリマーの相分離及び架橋を誘起する。微細コルゲート化された薄いフィルムの基本原理及び光学挙動は、例えば、国際特許出願WO-A-01/29148に開示される。
【００６４】
追加的な工程では、コルゲート化された面の下方ゾーンおける層の材料が取り除かれ、下にある基板の一部分が解放されるまで、面レリーフ微細構造を含む層の厚さは、ウェット又はドライエッチングによって低減される。その後、基板が、ドライ又はウェットエッチングによって、コルゲート化された層の解放された部分を通じてエッチングされる。このプロセスにより、コルゲート化された層の微細構造は、構造の上部及び下部区域である、２つの水平域を有したバイナリ構造として基板に転写される。
【００６５】
基板にエッチングされた微細構造の深さは、基板のエッチング時間及びエッチング速度に左右される。結果として、エッチング時間を制御することによって微細構造の深さを調整することが可能である。好ましくは、コピーされた微細構造の平均構造が６０nmより大きく、より好ましくは、コピーされた微細構造の深さが９０nmより大きい領域が存在する。色をもたらすために、微細構造の平均構造深さは、好ましくは１８０nmより大きく、より好ましくは３００nmより大きく、最も好ましくは４００nmより大きい。識別可能な色を提供するための平均構造深さの好ましい範囲は、１８０nm〜２３０nm、２４０nm〜２８０nm、２９０nm〜３４５nm、３６５nm〜３８０nm、及び４３０nm〜６００nmである。
【００６６】
好ましくは、イメージは、異なる領域における異なる構造深さの非周期的異方性面レリーフ微細構造によって少なくとも部分的に符号化される。このようなイメージは、局所的に異なる色又はグレーレベルで現れる。異なる深さの作製は、例えば、基板へのエッチングを局所的にブロックするか又は遅延させることによって行うことができる。
【００６７】
本発明の好ましい実施形態では、イメージの少なくとも１つの部分のための非周期的、異方性面レリーフ微細構造符号化は、下部区域から上部区域への及び上部区域から下部区域への遷移の面変調を有する領域を含み、面領域の（第１の）横方向に、２０マイクロメートル内毎に上部区域から下部区域への又はその逆への（平均で）少なくとも１つの遷移が存在し、好ましくは、追加的に、第１の方向に対して垂直である面領域の第２の横方向に、２００マイクロメートル内毎に上部区域から下部区域への又はその逆への平均で少なくとも１つの遷移が存在する。
【００６８】
好ましくは、イメージは、第１の横方向において上部区域から下部区域への又はその逆への隣接する遷移間の横方向の平均距離が０．５マイクロメートル〜１０マイクロメートルの範囲にある、非周期的、異方性面レリーフ微細構造によって、少なくとも部分的に符号化される。有利には、横方向の平均距離は、０．５マイクロメートル〜５マイクロメートルの範囲にある。有利には、第１の横方向に対して垂直である第２の横方向において、上部区域から下部区域への遷移間の平均距離は、１００マイクロメートル未満であり、より有利には、５０マイクロメートル未満である。
【００６９】
異方性面レリーフ構造を説明するために、面レリーフアスペクト比（ＳＲＡＲ）という用語は、本発明の文脈のために、異方性面レリーフパターンの幅に対する平均長さの比と定められる。ＳＲＡＲは、面レリーフ微細構造で散乱した光の方位光学的外観を強く決定する。少なくとも２つの横方向において平均で同じ長さを呈する面レリーフパターンに対応するＳＲＡＲ＝１では、入射光の散乱特性は、光の方位入射角度とほとんど無関係である。したがって、面レリーフ微細構造を包含する要素が要素の面に対して垂直な軸に沿って回転するとき、ＳＲＡＲ＝１のレリーフ微細構造の面から反射した光の強度はほとんど変化しない。
【００７０】
ＳＲＡＲ＞１を意味する異方性レリーフ構造では、反射した光の強度は、光の方位入射角度に左右される。この方位入射角度への依存性を視覚的に認識することができるようにするために、ＳＲＡＲは、１．１より大きくなければならない。異なる異方性軸を有する面レリーフ構造のパターンのイメージセットアップの可視コントラストを増加させるために、２より大きいＳＲＡＲ値が好ましい。５より大きいＳＲＡＲ値が更に好ましい。
【００７１】
非常に大きいＳＲＡＲ値では、有意な量の光が散乱して入る方位角度の範囲は小さくなり、面レリーフパターンで作製されたイメージから反射した光を認識することが困難になる。したがって、好ましくはＳＲＡＲが５０未満であり、より好ましくはＳＲＡＲが２０未満である、少なくとも１つの領域が存在する。
【００７２】
本発明の文脈において、「面レリーフ曲線因子」という用語は、すべての上部及びすべての下部区域上の合計領域に対する上部区域の総領域の比と定められる。好ましくは、面レリーフ曲線因子が０．０５０〜０．９５の範囲にある、より好ましくは０．２〜０．８の範囲にある、及び更に好ましくは０．３〜０．７の範囲にある少なくとも１つの領域が存在する。
【００７３】
本発明の文脈において、水平域は、構造の高さが構造の中間深さの２０％未満で変動する微細構造内の領域と定められるものとする。
【００７４】
好ましくは、本発明による光学要素は、少なくとも部分的に反射性である。したがって、本発明による光学要素は、好ましくは、金、銀、銅、アルミニウム、クロム、又は顔料などの、材料を使用した反射性の又は部分的に反射性の層を含む。反射性の又は部分的に反射性の層は、更に、光学要素の部分だけを被覆するように構造化され得る。これは、例えば、層の構造化された堆積又は局所的な脱金属化によって達成され得る。
【００７５】
反射はまた、異なる屈折率を有する材料への遷移よって引き起こされ得る。したがって、本発明の好ましい実施形態では、本発明による光学要素の微細構造の面は、誘電体材料で少なくとも部分的に被覆される。高屈折率材料の例は、ＺｎＳ、ＺｎＳｅ、ＩＴＯ、又はＴｉＯ２である。高屈折率材料のナノ粒子を含む複合材料もまた、好適であり得る。被覆媒体は、デバイスの色外観を変化させるために、特定の色に対して吸収性であってもよい。
【００７６】
任意に、本発明による光学要素の面レリーフ微細構造は、要素を機械的衝撃、汚染から保護するために、かつこのような要素の複製品の権限のない違法な作製を防止するために、密封され得る。したがって、本発明による光学要素は、好ましくは、微細構造の上部に密封層を含む。
【００７７】
微細構造の深さに応じて、干渉色がもたらされ得る。広範な色パレットが、例えば黄色、オレンジ色、バラ色、紫色、青色、及び緑色の浅めから深めの変調から、得られ得る。更に深い構造では、更に高次の色が現れ得る。干渉色は、典型的に、明確な角度依存性を示す。特定の角度下においては、色は見えるが、他の角度では、色は変化するか又は見えなくなり得る。したがって、パターンは、色が観察角度及び／又は光の入射角度に左右される色付きのパターンと認識される。
【００７８】
本発明による光学要素はまた、他のセキュリティ特性を組み込むことができる。それらのセキュリティ特性のうちのいくつかは、要素の作製のために使用されるマスタに既に存在し得る。このような特性は、例えば、ホログラム又はキネグラムである。第１、第２、又は第３のレベルのセキュリティ特性であり得る他のセキュリティ特性が、追加的なプロセス及び／又は追加的な層に追加され得る。追加的な特性は、特殊な光学的効果をもたらさずに、永久に可視であってもよい。好ましくは、追加される特性は、例えば同様にホログラム若しくはキネグラムによって又はコレステリック若しくは干渉層によって実現された、視角依存性を示す。より好ましい実施形態では、観察ツールを使用せずに検知することができない第２のレベルのセキュリティ特性が追加される。このような特性は、例えば、蛍光によって又は複屈折材料によって導入される。異なる位相差又は光軸配向の領域を含む複屈折層が、特に好ましい。このような複屈折層に収められたセキュリティ特性は、偏光、例えば偏光子シートを使用した、観察によってのみ可視である。加えて、光学要素は、磁性領域を含むことができる。
【００７９】
本発明によってもたらされる光学要素は、光強度の空間変調を取り扱う異なる用途で使用され得る。好ましくは、本発明による光学要素は、セキュリティデバイスのセキュリティ要素として使用される。詳細には、このようなセキュリティデバイスは、模造及び改竄を防ぐために、文書、パスポート、免許証、株券及び債券、クーポン、小切手、証明書、クレジットカード、銀行券、チケットなどに適用されるか又は組み込まれる。セキュリティデバイスは更に、ブランド若しくは製品保護デバイスとして、又は包装紙、梱包箱、封筒などのような、梱包のための手段として適用されるか又は組み込まれ得る。有利には、セキュリティデバイスは、タグ、セキュリティストリップ、ラベル、繊維、糸、積層体、又はパッチなどの形態をとることができる。
【００８０】
高さヒストグラムに基づくメリット関数は、明確な面レリーフ水平域を特徴付けるために有益であり得る。可能なメリット関数Ｍは、以下の通りである。
【数２】
2018512622.tif 000004
【００８１】
メリット関数Ｍは、ピーク幅とレリーフ変調深さとの関係を使用する。水平域周辺の上部及び下部区域の偏差の範囲は、レリーフ変調深さの特定の定められた分数内でなければならない。Δｘ１及びΔｘ２は、全ピーク高さの高さ１／ｅで測定されるような２つのヒストグラムピークの幅であり、ｅは、自然対数の底（ｅ≒２．７２）であり、ｄは、（平均水平域間距離又はレリーフ変調深さに対応する）２つのピークの距離である。
【００８２】
本発明の方法において使用される面レリーフ微細構造は、好ましくは、２より大きい、メリット関数Ｍを有する。より好ましくは、Ｍは３．５より大きい。
【図１．１】
2018512622.tif 000005
【図１．２】
2018512622.tif 000006
【図２】
2018512622.tif 000007
【図３．１】
2018512622.tif 000008
【図３．２】
2018512622.tif 000009
【図４．１】
2018512622.tif 000010
【図４．２】
2018512622.tif 000011
【図４．３】
2018512622.tif 000012
【図４．４】
2018512622.tif 000013
【図４．５】
2018512622.tif 000014
【図５】
2018512622.tif 000015
【図６】
2018512622.tif 000016
【図７】
2018512622.tif 000017
【図８．１】
2018512622.tif 000018
【図８．２】
2018512622.tif 000019
【図８．３】
2018512622.tif 000020
【図８．４】
2018512622.tif 000021
【図８．５】
2018512622.tif 000022
【図８．６】
2018512622.tif 000023
【図９．１】
2018512622.tif 000024
【図９．２】
2018512622.tif 000025
【図９．３】
2018512622.tif 000026
【図９．４】
2018512622.tif 000027
【図９．５】
2018512622.tif 000028
【図１０．１】
2018512622.tif 000029
【図１０．２】
2018512622.tif 000030
【図１０．３】
2018512622.tif 000031
【図１０．４】
2018512622.tif 000032
【図１１．１】
2018512622.tif 000033
【図１１．２】
2018512622.tif 000034
【図１１．３】
2018512622.tif 000035
【図１１．４】
2018512622.tif 000036
【国際調査報告】
2018512622.tif 000037
2018512622.tif 000038
2018512622.tif 000039
2018512622.tif 000040